(57)【要約】  本発明は、サービスページで活性化される客体によって、再生される背景音楽が変更されるようにする方法およびこの方法を遂行するシステムに関する。本発明に係る音楽サービス提供方法は、アイテムサーバがユーザデータベースにユーザ毎の音楽情報および音楽情報と関連した客体情報を含む音楽提供情報を保持するステップと、サービスサーバがユーザと関連したサービスページに関するデータを含むサービスページデータベースを保持するステップと、サービスサーバが１以上の第１ユーザと関連したサービスページの提供要請を第２ユーザから受信するステップと、サービスページデータベースを参照してサービスページを第２ユーザに提供するステップであって、サービスサーバが第１ユーザと関連した音楽提供情報をアイテムサーバから受信し、サービスページで活性化される客体のレベルによって再生音楽を変更して第２ユーザに提供するステップと、を含む。
2008525843.tif 000002
【特許請求の範囲】
【請求項１】
アイテムサーバおよびサービスサーバを用いた音楽サービス提供方法において、
前記アイテムサーバがユーザ毎の音楽情報および、前記音楽情報と関連し、再生される音楽を決定するための客体毎のレベルを識別する客体情報を含む音楽提供情報をユーザデータベースに保持するステップと、
前記サービスサーバが前記ユーザと関連したサービスページに関するデータを含むサービスページデータベースを保持するステップと、
前記サービスサーバが１以上の第１ユーザと関連したサービスページの提供要請を第２ユーザから受信するステップと、
前記サービスページデータベースを参照して前記サービスページを前記第２ユーザに提供するステップであって、
前記サービスサーバが前記第１ユーザと関連した音楽情報を前記アイテムサーバから受信し、前記サービスページで活性化される客体のレベルによって再生音楽を変更して前記第２ユーザに提供するステップと、
を含むことを特徴とする音楽サービス提供方法。
【請求項２】
前記レベルは第１レベルおよび前記第１レベルより下位レベルである第２レベルに区分され、
活性化される客体のレベルによって再生音楽を変更して前記第２ユーザに提供するステップは、
前記第１レベルの客体と関連した第１音楽を再生するステップと、
前記第２ユーザの選択によって前記サービスページで活性化される客体のレベルが前記第２レベルに変更された場合、自動的に前記第１音楽を終了して前記活性化される客体と関連した第２音楽を再生するステップと、
を含むことを特徴とする請求項１に記載の音楽サービス提供方法。
【請求項３】
前記ユーザデータベースにおいて、前記客体情報は各客体と関連したネットワークアドレスを識別するための第１アドレス情報を含み、前記音楽情報は所定の音源の保存位置を識別するための第２アドレス情報を含み、
前記第２音楽を再生するステップは、
前記活性化される客体と関連したネットワークアドレスに基づいて前記客体情報と関連した音楽情報を識別するステップと、
前記識別された音楽情報に含まれる第２アドレス情報に基づいて取得された音楽を再生するステップと、
を含むことを特徴とする請求項２に記載の音楽サービス提供方法。
【請求項４】
前記第２音楽を再生するステップは、
前記第１ユーザに前記第２音楽に対する所定の権利が存在するか否かを確認するステップと、
確認の結果、前記第１ユーザに前記権利が存在する場合、前記第２音楽がストリーミング方式で再生されるように制御するステップと、
を含むことを特徴とする請求項２に記載の音楽サービス提供方法。
【請求項５】
前記第２ユーザに提供される前記第２音楽を再生するプレーヤ客体は、前記サービスページの非活性領域に含まれることを特徴とする請求項２に記載の音楽サービス提供方法。
【請求項６】
前記第１レベルは、前記第２ユーザにまず提供されるメインサービスページと関連しており、
前記第２レベルは、前記第２ユーザの選択によって前記メインサービスページにおいて次に活性化される客体と関連していることを特徴とする請求項２に記載の音楽サービス提供方法。
【請求項７】
前記第１ユーザは、前記第２ユーザに提供される前記サービスページのホスト又は、前記サービスページの特定領域に自分の音楽情報を登録したゲストであることを特徴とする請求項１に記載の音楽サービス提供方法。
【請求項８】
前記サービスページの特定領域は、前記サービスサーバの運営者または前記ホストである第１ユーザによって前記ゲストである第１ユーザに音楽情報登録権限が付与された領域であることを特徴とする請求項７に記載の音楽サービス提供方法。
【請求項９】
請求項１から８のいずれか一項に記載の方法をコンピュータに実行させるためのプログラムを記録したことを特徴とするコンピュータ読み取り可能な記録媒体。
【請求項１０】
ユーザ毎の音楽情報および、前記音楽情報と関連し、再生される音楽を決定するための客体毎のレベルを識別する客体情報を含む音楽提供情報を含むユーザデータベースと、
前記ユーザと関連したサービスページに関するデータを保持するサービスページデータベースと、
１以上の第１ユーザと関連したサービスページへの提供要請を第２ユーザから受信するユーザ入力部と、
前記サービスページデータベースを参照して前記サービスページを前記第２ユーザに提供するサービスページ提供部と、
を含み、
前記サービスページ提供部は、
前記ユーザデータベースを参照して前記第１ユーザと関連した音楽提供情報を検索する検索部と、
前記検索された音楽提供情報に基づいて、前記サービスページで活性化される客体のレベルによって再生音楽を変更して前記第２ユーザに提供する音楽提供部と、
を含むことを特徴とする音楽サービス提供システム。
【請求項１１】
前記レベルは、第１レベルおよび前記第１レベルより下位レベルである第２レベルに区分され、
前記音楽提供部は、前記第１レベルの客体と関連した第１音楽を再生し、
前記サービスページで活性化される客体のレベルが前記第２レベルに変更された場合、自動的に前記第１音楽を終了して前記活性化される客体と関連した第２音楽を再生することを特徴とする請求項１０に記載の音楽サービス提供システム。
【発明の詳細な説明】
【技術分野】
【０００１】
本発明は、サービスページで活性化（稼働）される客体に応じて再生される背景音楽を変更する方法およびこの方法を遂行するシステムに関する。
【背景技術】
【０００２】
インターネットユーザは、自分のホームページやブログなどの個人のコミュニティ空間を用いたり、グループのコミュニティ空間やニュース掲示板と連動する討論空間など多くの人が容易にアクセスできる共用のコミュニティ空間を用いたりして、他のユーザと頻繁にコミュニケーションを行う。
【０００３】
特に、大部分のインターネットユーザは、このようなコミュニティ空間に自分が所望する背景音楽を設定することで、コミュニティ空間に対する自己満足度を高めたり、他のユーザが自分のコミュニティ空間を閲覧しながら設定された背景音楽を鑑賞していることを考慮したりすることができる。
【０００４】
図１は、従来技術によって提供されるコミュニティサービスページの一例を示した図である。このようなコミュニティ空間と関連して、従来の音楽サービスでは、インターネットユーザが音楽アイテムを購入したものを自分のコミュニティ空間全体に対する背景音楽として指定することに限られている。すなわち、インターネットユーザが購入した音楽アイテムをコミュニティ空間に登録されている掲示物毎に設定することで、活性化される掲示物１０１ごとに再生音楽の変更が可能なサービスは未だ提供されていない実情にある。
【０００５】
一方、大韓民国特許出願第２０００−５９７５号では、背景音楽の再生機能を有するインターネットサイトの運用方法が開示されている。この発明では、１つ以上の音楽を音楽データベースに保存し、サービス加入者がデータベースに保存されている音楽のうち１つを選択して、サービス進行中にサービス加入者が選択した音楽を送信している。
【０００６】
上記発明によれば、インターネットユーザは、自分が所望する音楽を鑑賞しながらサービス提供サイトを用いることは可能である。しかし、上記発明によっては、インターネットユーザがコミュニティ空間に登録した掲示物毎に異なる音楽アイテムを設定して、掲示物が自分または他のユーザによって活性化されるときに自分の設定した音楽を再生することは不可能である。
【０００７】
このように、従来技術においては、インターネットユーザが購入した音楽アイテムを単にコミュニティ空間全体に対する背景音楽として設定することに限られており、同じコミュニティ空間であっても活性化される掲示物毎に再生される音楽を変更することができなかったため、掲示物の内容または雰囲気に適合する音楽を設定して自分の趣向を表現しようとするインターネットユーザの欲求を満たすことができないという問題点が存在していた。
【発明の開示】
【発明が解決しようとする課題】
【０００８】
本発明は、上述したような従来技術の問題点を解決するために案出されたものであって、ユーザの選択に応じてサービスページで活性化される客体のレベルに基づいてサービスページ上で再生される音楽を変更できる音楽サービス提供方法およびこの方法を遂行するシステムを提供することを目的とする。
【０００９】
また、本発明は、ユーザがコミュニティ空間に登録された所定の掲示物を選択する場合、掲示物に設定された音楽に優先順位を付与することで、掲示物が活性化されている間には、コミュニティ空間全体に対する背景音楽の代わりに掲示物に設定された音楽を再生できる音楽サービス提供方法およびこの方法を遂行するシステムを提供することを目的とする。
【００１０】
また、本発明は、コミュニティ空間全体に対する背景音楽に加えて掲示物毎に掲示物内容または雰囲気と適合する音楽を設定したり、サイバー空間上で個性を表現したりしようとするコミュニティユーザの欲求を満たすことのできる音楽サービス提供方法を提供することを目的とする。
【課題を解決するための手段】
【００１１】
上記目的を達成し、上述した従来技術の問題点を解決するために、本発明の一実施形態に係る音楽サービス提供方法は、アイテムサーバがユーザ毎の音楽情報および音楽情報と関連した客体情報を含む音楽提供情報をユーザデータベースに保持するステップ（客体情報によって客体毎にレベルが識別され、レベルによって再生される音楽が決定される）と、サービスサーバがユーザと関連したサービスページに関するデータを含むサービスページデータベースを保持するステップと、サービスサーバが１以上の第１ユーザと関連したサービスページの提供要請を第２ユーザから受信するステップと、サービスページデータベースを参照してサービスページを第２ユーザに提供するステップであって、サービスサーバが第１ユーザと関連した音楽提供情報をアイテムサーバから受信し、サービスページで活性化される客体のレベルによって再生音楽を変更して第２ユーザに提供するステップと、を含む。
【００１２】
本発明の一側によれば、レベルは第１レベルおよび第１レベルより下位レベルである第２レベルに区分され、活性化される客体のレベルによって再生音楽を変更して第２ユーザに提供するステップは、第１レベルの客体と関連した第１音楽を再生するステップと、第２ユーザの選択入力によってサービスページで活性化される客体のレベルが第２レベルに変更された場合、自動的に第１音楽を終了して活性化される客体と関連した第２音楽を再生するステップと、を含むことを特徴とする音楽サービス提供方法が提供される。
【００１３】
また、本発明の一実施形態に係る音楽サービス提供システムは、ユーザ毎に音楽情報および音楽情報と関連した客体情報を含む音楽提供情報を含むユーザデータベース（客体情報によって客体毎にレベルが識別され、レベルによって再生される音楽が決定される）と、ユーザと関連したサービスページに関するデータを含むサービスページデータベースと、１以上の第１ユーザと関連したサービスページへの提供要請を第２ユーザから受信するユーザ入力部と、サービスページデータベースを参照してサービスページを第２ユーザに提供するサービスページ提供部と、を含み、サービスページ提供部は、ユーザデータベースを参照して第１ユーザと関連した音楽提供情報を検索する検索部と、検索された音楽提供情報に基づき、サービスページで活性化される客体のレベルによって再生音楽を変更して第２ユーザに提供する音楽提供部と、を含むことを特徴とする。
【発明の効果】
【００１４】
本発明によれば、ユーザの選択に応じてサービスページで活性化される客体のレベルに基づいて、サービスページ上で再生される音楽を変更できる音楽サービス提供方法およびこの方法を遂行するシステムが提供される。したがって、ユーザは、サービスページで活性化される掲示物ごとに掲示物の内容または雰囲気に適合する多様な音楽を鑑賞することができる。
【００１５】
また、本発明によれば、ユーザがコミュニティ空間に登録された掲示物を選択する場合、掲示物に設定された音楽に優先順位を付与して、前記掲示物が活性化されている間、コミュニティ空間全体に対する背景音楽の代わりに掲示物に設定された音楽を再生できる音楽サービス提供方法およびこの方法を遂行するシステムが提供される。したがって、コミュニティ空間に対する背景音楽と掲示物毎に設定された音楽との衝突が生じないため、ユーザはいずれか１つの音楽を終了するための別途の行為を遂行しなくてもコミュニティ空間を閲覧しながら気軽に様々な音楽を鑑賞することができる。
【００１６】
また、本発明によれば、コミュニティ空間全体に対する背景音楽に加えて、掲示物毎の掲示物内容または雰囲気と適合する音楽を設定したり、サイバー空間上で自分の個性を表現したりしようとするコミュニティユーザの欲求を満たす効果を得ることができる。
【発明を実施するための最良の形態】
【００１７】
以下、添付の図面を参照して、本発明に係る音楽サービス提供方法およびこの方法を遂行するための音楽サービス提供システムについて詳細に説明する。
【００１８】
図２は、本発明に係る音楽サービス提供システムのネットワーク接続を示した図である。
【００１９】
音楽サービス提供システム２００は、有無線通信網を介して多数のユーザ端末機２５０と接続する。また、音楽サービス提供システム２００は、アイテムサーバ２１０およびサービスサーバ２２０を含む。
【００２０】
ユーザ端末機２５０は、有無線通信網を介して音楽サービス提供システム２００と接続する通信端末機であって、パーソナルコンピュータ（ＰＣ）はもちろん、ＰＤＡ（Ｐｅｒｓｏｎａｌ  Ｄｉｇｉｔａｌ  Ａｓｓｉｓｔａｎｔ）、スマートフォン（Ｓｍａｒｔ  ｐｈｏｎｅ）、ハンドヘルド（ｈａｎｄｈｅｌｄ）ＰＣ、携帯電話などのようにＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥースモジュール、赤外線通信モジュール（ＩｒＤＡ）、または有無線ランカードなどの所定の通信モジュールを備えることで、有線または無線インターネット網を介して音楽サービス提供システム２００に接続することができる通信端末機を通称する概念である。
【００２１】
図３および図１０は、本発明の一実施形態に係る音楽サービス提供方法を示したフローチャートである。本実施形態に係る音楽サービス提供方法は、アイテムサーバ２１０およびサービスサーバ２２０を含む音楽サービス提供システム２００で実行される。
【００２２】
まず、図３を参照して、音楽アイテム購入過程およびこれを介したユーザデータベースの構築過程について説明する。
【００２３】
ステップ３０１で、アイテムサーバ２１０は、図４に示すように、ユーザが音楽アイテムを購入することができるユーザインターフェースを含むミュージックショップページをユーザに提供する。
【００２４】
ステップ３０２で、ミュージックショップページに接続したユーザは、所定の音楽に対する音楽アイテムを購入して取得することができる。また、ユーザは、他のユーザが購入した音楽アイテムまたは所定のイベントによって提供される音楽アイテムを「贈り物」として取得することもできる。
【００２５】
ステップ３０３で、アイテムサーバ２１０は、購入ボタン４０１または贈り物ボタン４０２のクリックにより音楽アイテムを選択したユーザに該当する音楽アイテムに対する決済のための決済サービスが提供されるように制御することができる。
【００２６】
ステップ３０４で、アイテムサーバ２１０は、ユーザが購入または贈り物として取得した音楽アイテムに対する音楽情報を、ユーザ毎に第１ユーザデータベースに保存する。
【００２７】
一方、ユーザが取得した音楽アイテムに対して使用期間が定められている場合、アイテムサーバ２１０は、ユーザおよび音楽アイテムと関連して第１ユーザデータベースに使用期間情報をさらに保存することができる。ここで、使用期間情報とは、音楽アイテムの使用が可能な使用期間に対する情報であって、使用期間が経過した後には、ユーザが取得した音楽アイテムであっても使用が不可能となる。また、ユーザが音楽アイテムを購入するために支払う費用は、使用期間によって変動することもある。
【００２８】
また、実施形態によって、使用期間は「音楽アイテム購入日から３０日」のように相対的に設定されたり、ユーザの選択によって「２００４年１月１日から２００４年１２月３１日まで」のように絶対的な期間で設定されたりする。
【００２９】
図５は、第１ユーザデータベースに保存されるデータの一例を示した図である。図５を参照すれば、ユーザ「ｗｉｓｊｊａｎｇ」は「愛へ」と「新沙洞のあの人」を用いることができる音楽アイテムをそれぞれ購入し、「愛へ」は２００４年１月１日から２００４年１２月３１日までの１年間、「新沙洞のあの人」は２００４年１１月１日から２００４年１１月３０日までの３０日間の使用が可能であることを知ることができる。
【００３０】
ステップ３０５で、アイテムサーバ２１０は、ユーザ自身が取得した音楽アイテムを用いてサービスページに対するメイン背景音楽が登録されるようにするユーザインターフェースを含むアイテムパックページをユーザに提供する。ここで、アイテムパックページは、第１ユーザデータベースを参照してユーザ毎に個別に生成される。また、ステップ３０６で、ユーザはアイテムパックページを介してメイン背景音楽を登録する。
【００３１】
図６は、サービスサーバ２２０が提供するサービスページの一例を示した図である。一般的に、個人コミュニティ空間としてのサービスページは、図６のように複数の領域に区分され、ユーザが登録した掲示物が活性化される場合、これはポスト領域６０１に示される。
【００３２】
アイテムパックページを介して登録されるメイン背景音楽は、図６に示すようなサービスページ全体に対応して再生される音楽であって、ポスト領域６０１に示される特定の掲示物に対応して再生される音楽ではない。ポスト領域６０１に示される特定の掲示物に対応して再生される音楽は、図３のステップ３０７およびステップ３０８を介して登録される。
【００３３】
図７は、アイテムサーバ２１０が提供するアイテムパックページの一例を示した図である。図７に示すように、アイテムサーバ２１０は、カテゴリ選択領域７０１、各カテゴリ毎の音楽アイテムのリスト７０２、メイン背景音楽として設定された音楽アイテムのリスト７０３などを示すユーザインターフェースをユーザに提供することができる。
【００３４】
アイテムサーバ２１０は、ユーザ自身が取得した音楽アイテムを１つ以上のカテゴリに分類して管理できるように所定のアイテムパックページをユーザに提供し、ユーザの選択入力によって音楽アイテムと関連したカテゴリ選択領域７０１および各カテゴリ毎の音楽アイテムのリスト７０２を生成することができる。また、アイテムサーバ２１０は、さらに他のアイテムパックページを介することで、ユーザ自身が取得した音楽アイテムと関連した歌詞情報、アルバムイメージ、コメントなどを作成することができるミュージックログを提供することもできる。
【００３５】
本実施形態では、上述したようにユーザが選択した音楽に対する情報を含む情報を「音楽情報」と称する。また、サービスページ自体またはサービスページで部分的に活性化される掲示物などの客体を識別するための情報を「客体情報」と称し、音楽情報および音楽情報と関連した客体情報を含む情報を「音楽提供情報」と称する。
【００３６】
ステップ３０７で、アイテムサーバ２１０は、ユーザ自身が取得した音楽アイテムを用いてポスト（または掲示物、以下「ポスト」と称する）毎に音楽が登録されるようにするユーザインターフェースを含むポスト毎の音楽登録ページをユーザに提供する。図８は、ポスト毎の音楽登録ページの一例を示した図である。
【００３７】
サービスサーバ２２０は、ユーザのポスト作成要請に応じて、ユーザがコミュニティ空間に登録されるポストを作成できるようにポスト作成ページ８０１をユーザに提供する。ユーザは自分が作成したポストが活性化状態である間には、メイン背景音楽ではなくポストと関連して別途で設定した音楽が再生されることを希望する場合がある。この場合、ユーザは音楽登録のための選択領域８０２をクリックすることができ、選択領域８０２をクリックすれば、ステップ３０７で、アイテムサーバ２１０はポスト毎の音楽登録ページ８０３をユーザに提供する。
【００３８】
図８に示されたポスト毎の音楽登録ページ８０３は、図７に示されたアイテムパックページと同様の構成とすることができる。したがって、アイテムサーバ２１０は、カテゴリ選択領域、カテゴリ毎の音楽アイテムのリスト、ポストに登録される音楽アイテムのリストなどを示すユーザインターフェースを含むポスト毎の音楽登録ページ８０３をユーザに提供することができる。ここで、ポスト毎の音楽登録ページ８０３は、第１ユーザデータベースを参照してユーザ毎またはポスト毎に個別に生成される。また、ステップ３０８でユーザは、ポスト毎の音楽登録ページ８０３を介して、自分が作成するポストと関連した音楽を登録することができる。
【００３９】
ユーザがステップ３０６でメイン背景音楽を登録し、ステップ３０８でポスト毎の音楽を登録した場合、アイテムサーバ２１０は、該当する音楽情報および客体情報を含む音楽提供情報をユーザと関連させて第２ユーザデータベースに保存する。
【００４０】
図９は、第２ユーザデータベースに保存されるデータの一例を示した図である。
【００４１】
サービスページにアクセスしたユーザには、まず、メインサービスページが提供されるが、この場合はメインサービスページが活性化状態である客体に相当する。また、ユーザがメインサービスページに登録された特定ポストを選択入力すれば、ユーザには、次に、選択された特定ポストがサービスページ上の所定の領域または個別のウェブページ上において提供されるが、この場合は特定ポストが活性化状態である客体に相当する。
【００４２】
本発明において、客体情報とは、このようなサービスページないしそれぞれのポストなどの客体を識別するための情報である。図９に示すように、客体情報はユーザ毎に、各音楽情報と関連し、各客体と関連したネットワークアドレスを識別するための第１アドレス情報を含むことができる。図９には、ネットワークアドレスの一例としてＵＲＬ情報が示されているが、ＩＰアドレスを含むその他すべてのネットワークアドレスを第１アドレス情報として用いることができる。
【００４３】
例えば、客体情報は、図９の符号９０１で示されたｈｔｔｐ：／／ｂｌｏｇ．ｎａｖｅｒ．ｃｏｍ／ｃｍｕｘ．ｄｏのようにメインサービスページを識別することができるし、図９の符号９０２で示されたｈｔｔｐ：／／ｂｌｏｇ．ｎａｖｅｒ．ｃｏｍ／ｃｍｕｘ／９３８５７のように１つの特定ポストを識別することもできる。
【００４４】
このような客体情報は、客体毎にレベルが識別される。例えば、上記例において、図面符号９０１はｂｌｏｇ．ｎａｖｅｒ．ｃｏｍの後に１つのスラッシュ（／）を含んでいるため、メインサービスページのレベルは第１レベルとして識別される。また、上記例において、図面符号９０２はｂｌｏｇ．ｎａｖｅｒ．ｃｏｍの後に２つのスラッシュ（／）を含んでいるため、特定ポストのレベルは第１レベルより下位レベルである第２レベルとして識別される。後述するように、本発明では、このような客体情報を介して識別された客体毎のレベルによって再生される音楽を決定する。
【００４５】
一方、図９に示すように、第２ユーザデータベースにおいて、音楽情報はユーザ毎に、各客体と関連し、所定の音源の保存位置を識別するための第２アドレス情報を含むことができる。
【００４６】
例えば、各客体と関連した音源の保存位置を識別するために、図９の符号９０３で示されるｌｉｓｔｅｎ＿ｍｕｓｉｃ（’１４５７８０’）や図９の符号９０４で示されるｌｉｓｔｅｎ＿ｍｕｓｉｃ（’１３１１６１’）などのような識別子を第２アドレス情報として用いることができる。後述するように、本発明では、ユーザが、このような音楽情報を用いて活性化された客体と関連して再生される音楽を取得できる。
【００４７】
以上では、音楽アイテム購入過程およびこれを介したユーザデータベースの構築過程について説明した。以下では、ユーザが所定のサービスページを要請したり特定ポストに対する活性化要請をした場合に、サービスサーバ２２０が音楽提供情報を取得して再生音楽を決定する過程について説明する。
【００４８】
ステップ１００１で、サービスサーバ２２０は、サービスページに含まれるデータを領域毎に保存するサービスページデータベースを保持する。例えば、サービスページデータベースには、ユーザ「ｗｉｓｊｊａｎｇ」のサービスページと関連して図１１のようなデータが保存されたりする。また、サービスページデータベースには、所定のサービスページを生成するための追加情報（例えば、イメージ経路、コンテンツの位置に関する位置情報など）をさらに含むこともできる。
【００４９】
ステップ１００２で、サービスサーバ２２０が１以上の第１ユーザと関連したメインサービスページの提供要請を第２ユーザから受信する。この場合、第２ユーザはリンクを介したり、第１ユーザと関連したメインサービスページのネットワークアドレスを直接入力したりして、メインサービスページの提供要請を行うことができる。
【００５０】
ここで、第２ユーザは、第１ユーザと同じユーザであってもよいし、異なるユーザであってもよい。
【００５１】
一方、第１ユーザは、第２ユーザが要請して提供されるサービスページのホストであったり、サービスページの特定領域に自分の音楽情報を登録したゲストであったりする。この場合、サービスページの特定領域は、サービスサーバ２２０の運営者またはホストである第１ユーザによってゲストである第１ユーザに音楽情報登録権限が付与された領域であったりする。例えば、個人コミュニティにおけるポスト登録領域、登録されたポストに対する返答登録領域、連絡掲示板、訪問録などが上記特定領域に相当する。
【００５２】
ステップ１００３で、サービスサーバ２２０は、第１ユーザと関連した音楽提供情報をアイテムサーバ２１０に要請する。
【００５３】
ステップ１００４で、アイテムサーバ２１０は、上述したような要請がある場合、図９に示すような第２ユーザデータベースを参照して第１ユーザと関連した音楽提供情報を検索し、客体情報としてのメインサービスページを含む音楽情報をサービスサーバ２２０に送信する。この場合、アイテムサーバ２１０は、活性化される客体であるメインサービスページのネットワークアドレスに基づいて、メインサービスページと関連した音楽情報を識別することができる。
【００５４】
ステップ１００５で、サービスサーバ２２０は、識別された音楽情報をアイテムサーバ２１０から受信し、図１１に示すようなサービスページデータベースを参照してメインサービスページを第２ユーザに提供する。また、これに対応して、サービスサーバ２２０は、識別された音楽情報によるメイン背景音楽を再生する。この場合、サービスサーバ２２０は、図９に示すような第２アドレス情報に基づいて取得した音楽を再生することができる。
【００５５】
ステップ１００６で、第２ユーザは、自分に提供されたメインサービスページから特定ポストを選択することで、サービスサーバ２２０に特定ポストに対する活性化を要請することができる。この場合、サービスサーバ２２０は、ステップ１００３と同じ過程を介して、特定ポストを登録した第１ユーザと関連した音楽提供情報の提供をアイテムサーバ２１０に要請する。
【００５６】
また、アイテムサーバ２１０は、上記要請がある場合、ステップ１００４と同じ過程を介して、図９に示すような第２ユーザデータベースを参照して第１ユーザと関連した音楽提供情報を検索し、客体情報としての特定ポストを含む音楽情報をサービスサーバ２２０に送信する。この場合、アイテムサーバ２１０は、活性化される客体である特定ポストのネットワークアドレスに基づいて、特定ポストと関連した音楽情報を識別することができる。
【００５７】
ステップ１００７で、サービスサーバ２２０は、識別された音楽情報をアイテムサーバ２１０から受信し、図１１に示すようなサービスページデータベースを参照して、既に提供されているメインサービスページの所定のポスト領域または別途のウィンドウを介して特定ポストを活性化させる。
【００５８】
ステップ１００７で、サービスサーバ２２０は、特定ポストを上述したように活性化させる一方、特定ポストの活性化に従って再生音楽を決定する。
【００５９】
本発明の一実施形態によれば、サービスサーバ２２０は、サービスページで活性化される各客体のレベルによって再生音楽を変更して第２ユーザに提供する。
【００６０】
本実施形態によれば、上位レベルの客体と関連して登録された音楽は、相対的に下位レベルの客体が活性化されるときに自動的に終了し、下位レベルの客体と関連して登録された音楽が再生されるようになる。
【００６１】
例えば、客体のレベルを第１レベルおよび第１レベルより下位レベルである第２レベルに区分する場合、サービスサーバ２２０は、まず、第１レベルの客体と関連した第１音楽を再生するが、第２ユーザの選択入力によってサービスページで活性化される客体のレベルが第２レベルに変更された場合、自動的に第１音楽を終了して活性化される客体と関連した第２音楽を再生する。
【００６２】
上記例を図１０に適用すれば、第１レベルは第２ユーザにステップ１００５で提供されるメインサービスページのレベルに相当し、第２レベルは第２ユーザの選択入力によってメインサービスページを介したステップ１００７で次に活性化される特定ポストのレベルに相当する。
【００６３】
したがって、本実施形態によるステップ１００７で、サービスサーバ２２０は、ステップ１００５で再生が開始したメイン背景音楽を自動的に終了し、アイテムサーバ２１０が識別した音楽情報に基づいて、第２ユーザの選択によって新たに活性化される特定ポストと関連した音楽の再生を開始する。
【００６４】
この場合、サービスサーバ２２０は、図９に示すような第２アドレス情報に基づいて取得された音楽を再生することができる。この音楽の再生は、第１ユーザが音楽の使用に対する所定の権利を有しているか否かを確認し、確認の結果、第１ユーザに上記権利が存在すれば、第２アドレス情報を用いて所定の音源の保存位置から音楽がストリーミング（ｓｔｒｅａｍｉｎｇ）方式で再生されるように制御することで具現される。
【００６５】
一方、本発明の他の実施形態によれば、サービスサーバ２２０は、第２ユーザから選択された特定ポストを活性化して特定ポストと関連した音楽を再生する場合において、音楽の不正コピーに対する音源保護のために、音楽を再生するためのプレーヤを特定ポストが活性化されるサービスページとは別途の非活性領域に分離しておくことができる。
【００６６】
プレーヤ客体が、ポストが活性化されるサービスページに存在すれば、第２ユーザが該当するサービスページのソースをコピーして他の場所に貼り付けたり、該当するサービスページを他の場所にスクラップしたりする場合、その場所でもポストと関連した音楽がそのまま再生されるため、音源保護が成されない問題点が生じる恐れがある。
【００６７】
しかし、本実施形態によれば、ポストが活性化されるサービスページにはプレーヤと関連したユーザインターフェース用のソースのみを挿入し、実際にはプレーヤ客体をサービスページとは別途の非活性領域に分離しておくことで、第２ユーザは音楽を他の場所に移動して鑑賞することができなくなる。よって、上述したような問題点が解決される効果を得ることができる。
【００６８】
本発明に係る音楽サービス提供方法は、コンピュータにより具現される多様な動作を実行するためのプログラム命令を含むコンピュータ読み取り可能な媒体を含む。この媒体は、プログラム命令、データファイル、データ構造、テーブルなどを単独または組み合わせて含むこともできる。媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な媒体の例としては、ハードディスク、フロッピー（登録商標）ディスクおよび磁気テープのような磁気媒体、ＣＤ−ＲＯＭのような光記録媒体、フロプティカルディスクのような磁気−光媒体、およびＲＯＭ、ＲＡＭなどのようなプログラム命令を保存して実行するように特別に構成されたハードウェア装置が含まれる。媒体は、プログラム命令、データ構造などを特定する信号を送信する搬送波を含む光または金属線、導波管などの送信媒体でもある。プログラム命令の例としては、コンパイラによって生成されるもののような機械コードだけでなく、インタプリタなどを用いてコンピュータによって実行される高級言語コードを含む。上述したハードウェア要素は、本発明の動作を実行するために一以上のソフトウェアモジュールとして作動するように構成することができ、その逆もできる。
【００６９】
以下、図１２を参照して、本発明のさらに他の実施形態に係る音楽サービス提供システムについて説明する。本実施形態に係る音楽サービス提供システム１２００は、ユーザデータベース１２０１と、サービスページデータベース１２０２と、ユーザ入力部１２０３と、サービスページ提供部１２０４と、検索部１２０５と、音楽提供部１２０６と、を含む。
【００７０】
ユーザデータベース１２０１は、図９に示すように、ユーザ毎の音楽情報および音楽情報と関連した客体情報を含む音楽提供情報を有する。
【００７１】
音楽情報とは、ユーザが購入または贈り物などで取得した音楽アイテムに関する情報であり、客体情報とは、サービスページ自体またはサービスページで部分的に活性化されるポストなどの客体を識別するための情報である。
【００７２】
上述したように、客体情報によって客体毎のレベルが識別され、このレベルによって再生される音楽が決定される。
【００７３】
サービスページデータベース１２０２は、図１１に示すように、ユーザと関連したサービスページに関するデータを有する。
【００７４】
ユーザ入力部１２０３は、１以上の第１ユーザと関連したサービスページへの提供要請を第２ユーザのユーザ端末機１２５０から受信する。第２ユーザは、リンクを介したり、第１ユーザと関連したサービスページのネットワークアドレスを直接入力したりして、サービスページの提供要請をすることができる。ここで、第２ユーザは、第１ユーザと同じユーザであってもよいし、異なるユーザであってもよい。
【００７５】
一方、第１ユーザは、第２ユーザが要請して提供されるサービスページのホストであったり、サービスページの特定領域に自分の音楽情報を登録したゲストであったりする。この場合、サービスページの特定領域は、サービスサーバの運営者またはホストである第１ユーザによってゲストである第１ユーザに音楽情報登録権限が付与された領域であったりする。
【００７６】
サービスページ提供部１２０４は、サービスページデータベース１２０２を参照してサービスページを第２ユーザのユーザ端末機１２５０に提供する。
【００７７】
検索部１２０５は、ユーザデータベース１２０１を参照して第１ユーザと関連した音楽提供情報を検索し、音楽提供部１２０６は、検索された音楽提供情報に基づいて、サービスページで活性化される客体のレベルに応じて再生音楽を変更して第２ユーザのユーザ端末機１２５０に提供する。サービスページ提供部１２０４は、このような検索部１２０５および音楽提供部１２０６を含むことができる。
【００７８】
本発明の一実施形態によれば、音楽提供部１２０６は、サービスページで活性化される客体のレベルによって再生音楽を変更して第２ユーザのユーザ端末機１２５０に提供する。本実施形態によれば、上位レベルの客体と関連して登録された音楽は、相対的に下位レベルの客体が活性化されるときには自動的に終了して、下位レベルの客体と関連して登録された音楽が再生されるようになる。
【００７９】
例えば、客体のレベルを第１レベルおよび第１レベルより下位レベルである第２レベルに区分する場合、音楽提供部１２０６は、まず、第１レベルの客体と関連した第１音楽を再生するが、第２ユーザの選択入力によってサービスページで活性化される客体のレベルが第２レベルに変更された場合、自動的に第１音楽を終了して、活性化された客体と関連した第２音楽を再生する。
【００８０】
本実施形態において、音楽提供部１２０６は、メインサービスページの活性化によって再生を開始したメイン背景音楽を自動的に終了し、検索部１２０５が検索した音楽情報に基づいて、第２ユーザの選択によって新たに活性化される特定ポストと関連した音楽の再生を開始することができる。
【００８１】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００８２】
【図１】従来技術によって提供されるコミュニティサービスページの一例を示した図である。
【図２】本発明に係る音楽サービス提供システムのネットワーク接続を示した図である。
【図３】本発明の一実施形態に係る音楽サービス提供方法を示したフローチャートである。
【図４】本発明の一実施形態において、ユーザが音楽アイテムを購入できるようにするユーザインターフェースを含むミュージックショップページの一例を示した図である。
【図５】本発明に係るアイテムサーバの第１ユーザデータベースに保存されるデータの一例を示した図である。
【図６】本発明に係るサービスサーバが提供する複数の領域に区分されたサービスページの一例を示した図である。
【図７】本発明に係るアイテムサーバが提供するアイテムパックページの一例を示した図である。
【図８】本発明に係るアイテムサーバが提供するポスト毎の音楽登録ページの一例を示した図である。
【図９】本発明に係るアイテムサーバの第２ユーザデータベースに保存されるデータの一例を示した図である。
【図１０】本発明の一実施形態に係る音楽サービス提供方法を示したフローチャートである。
【図１１】本発明に係るサービスサーバのサービスページデータベースに保存されるデータの一例を示した図である。
【図１２】本発明の他の実施形態に係る音楽サービス提供システムを示したブロック図である。
【図１】
2008525843.tif 000003
【図２】
2008525843.tif 000004
【図３】
2008525843.tif 000005
【図４】
2008525843.tif 000006
【図５】
2008525843.tif 000007
【図６】
2008525843.tif 000008
【図７】
2008525843.tif 000009
【図８】
2008525843.tif 000010
【図９】
2008525843.tif 000011
【図１０】
2008525843.tif 000012
【図１１】
2008525843.tif 000013
【図１２】
2008525843.tif 000014
【国際調査報告】
2008525843.tif 000015